【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
以下よりなる物品取出装置。
（イ）前壁を有する装置本体であって、当該前壁の上部に開口を有し、前記前壁の下部に操作部、物品取出口、コイン挿入口を有し、内部に前記物品取出口と一端で連通した落下通路を有する前記装置本体と、
（ロ）前記前壁の下部に開閉可能に設けられた開閉扉と、
（ハ）前記装置本体に装着することにより、上部の物品投入用開口部が前記装置本体により覆われ、底部の落下口が前記落下通路の他端と対向し、前記装置本体の前記開口より引き出し可能な物品収納ケースであって、前記開閉扉が閉じているとき底部の前部が前記開閉扉の上端と係合し、前記装置本体からの引き出しが阻止される前記物品収納ケースと、
（ニ）前記操作部の操作に応じ回転する回転盤であって、その回転方向に沿って形成された複数の孔であって、互いに所定間隔をあけて設けられた複数の孔を有し、前記操作部の操作により所定間隔分だけ順次回転することに応じ、該複数の孔の一つが順次前記落下口と対向する位置に導かれ、前記物品収納ケース内の物品を前記落下口から前記落下通路へ順次導出可能にする回転盤。
【請求項２】
前記前壁の下部には、前記コイン挿入口から挿入すべき金額が表示された複数の表示面を有し、前壁側に位置する表示面を変更可能な表示部材が設けられており、当該表示部材は、前記開閉扉が閉じているとき前壁側に位置する表示面の変更が阻止されることを特徴とする請求項１記載の物品取出装置。
【請求項３】
前記開閉扉には、前記操作部、前記表示部材、前記コイン挿入口を各々表出させる開口と、前記物品取出口と連通する窓部とが形成されていることを特徴とする請求項２記載の物品取出装置。
【請求項４】
前壁を有し、当該前壁の上部に開口を有し、物品取出口および該物品取出口と一端で連通した落下通路を有する装置本体と、
前記前壁の下部に開閉可能に設けられた開閉扉と、
前記装置本体の前記開口から引き出し可能な物品収納ケースと、
前記物品収納ケースの底部に回転可能に設けられ、前記物品収納ケース内の物品を前記落下通路へ順次導出可能にする回転盤と、
からなり、
前記開閉扉が閉じられているとき、前記物品収納ケースの引き出しが阻止されるとともに装置本体内部の操作が阻止されることを特徴とする物品取出装置。
【手続補正２】
【補正対象書類名】明細書
【補正対象項目名】０００７
【補正方法】変更
【補正の内容】
【０００７】
本願請求項１に係る物品取出装置は、以下の構成を有する。
（イ）前壁を有する装置本体であって、当該前壁の上部に開口を有し、前記前壁の下部に操作部、物品取出口、コイン挿入口を有し、内部に前記物品取出口と一端で連通した落下通路を有する前記装置本体と、
（ロ）前記前壁の下部に開閉可能に設けられた開閉扉と、
（ハ）前記装置本体に装着することにより、上部の物品投入用開口部が前記装置本体により覆われ、底部の落下口が前記落下通路の他端と対向し、前記装置本体の前記開口より引き出し可能な物品収納ケースであって、前記開閉扉が閉じているとき底部の前部が前記開閉扉の上端と係合し、前記装置本体からの引き出しが阻止される前記物品収納ケースと、
（ニ）前記操作部の操作に応じ回転する回転盤であって、その回転方向に沿って形成された複数の孔であって、互いに所定間隔をあけて設けられた複数の孔を有し、前記操作部の操作により所定間隔分だけ順次回転することに応じ、該複数の孔の一つが順次前記落下口と対向する位置に導かれ、前記物品収納ケース内の物品を前記落下口から前記落下通路へ順次導出可能にする回転盤。
【手続補正３】
【補正対象書類名】明細書
【補正対象項目名】０００８
【補正方法】変更
【補正の内容】
【０００８】
本願請求項２に係る物品取出装置は、上記構成に加え、前記前壁の下部に、前記コイン挿入口から挿入すべき金額が表示された複数の表示面を有し、前壁側に位置する表示面を変更可能な表示部材が設けられており、当該表示部材は、前記開閉扉が閉じているとき前壁側に位置する表示面の変更が阻止される。
【手続補正４】
【補正対象書類名】明細書
【補正対象項目名】０００９
【補正方法】変更
【補正の内容】
【０００９】
本願請求項３に係る物品取出装置は、上記構成に加え、前記開閉扉に、前記操作部、前記表示部材、前記コイン挿入口を各々表出させる開口と、前記物品取出口と連通する窓部とが形成されている。
【手続補正５】
【補正対象書類名】明細書
【補正対象項目名】００１０
【補正方法】変更
【補正の内容】
【００１０】
本願請求項４に係る物品取出装置は、前壁を有し、当該前壁の上部に開口を有し、物品取出口および該物品取出口と一端で連通した落下通路を有する装置本体と、前記前壁の下部に開閉可能に設けられた開閉扉と、前記装置本体の前記開口から引き出し可能な物品収納ケースと、前記物品収納ケースの底部に回転可能に設けられ、前記物品収納ケース内の物品を前記落下通路へ順次導出可能にする回転盤と、からなり、前記開閉扉が閉じられているとき、前記物品収納ケースの引き出しが阻止されるとともに装置本体内部の操作が阻止される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本願発明に係る物品取出装置は、物品収納ケース内の物品を手で入れ替える代わりに、物品収納ケース自体を取り替え、取り出せる物品を簡単に変更することも可能にするという効果がある。
本願発明に係る物品取出装置は、物品収納ケースの落下口の面積を簡単な機構で変えることができるので、取り出す物品の大きさが異なっても、充分対応ができる汎用性のある構造にすることができるという効果がある。
本願発明に係る物品取出装置は、例えば１００円のカプセル等の物品を２００円のカプセル等の物品に変えて使用する場合、操作レバーを一度操作するだけで、金額の表示部の変更（１００円から２００円への変更）、物品の大きさにあわせた物品収納ケースの落下口の面積の変更、投入金額（コインの枚数）を認識させる機能を有するコインセレクターの認識金額の変更を行うことができるという効果がある。
【手続補正８】
【補正対象書類名】明細書
【補正対象項目名】００１３
【補正方法】変更
【補正の内容】
【００１３】
本願発明に係る物品取出装置の実施の形態を、図面に基づいて説明する。物品取出装置１は、装置本体３を有する。装置本体３の上部には、物品収納ケース５が着脱自在に設けられている。物品収納ケース５の底壁２１には、回転盤３５が回動自在に設けられ、回転盤３５の周囲にはカプセル等の物品Ａを一つずつ収容する収容孔３９が所定間隔あけて設けられている。物品収納ケース５の底壁２１には、回転盤３５に設けられた複数の収容孔３９の一つに対向する落下口４３が形成されている。装置本体３には、前記物品収納ケース５の落下口４３と対向する落下通路４９が形成され、この落下通路４９は、装置本体３の前壁７下部に形成された物品取出口５１に連通している。装置本体３の前壁７には、動力伝達部を介して前記回転盤３５を前記所定間隔分だけ回転させる操作部材８１が設けられている。
【手続補正９】
【補正対象書類名】明細書
【補正対象項目名】００１４
【補正方法】変更
【補正の内容】
【００１４】
本願発明に係る物品取出装置の実施の形態を、図面に基づいて説明する。物品取出装置１は、装置本体３を有する。装置本体３の上部には、物品収納ケース５が設けられている。物品収納ケース５の底壁２１には、回転盤３５が回動自在に設けられ、回転盤３５の周囲にはカプセル等の物品Ａを一つずつ収容する収容孔３９が所定間隔あけて設けられている。物品収納ケース５の底壁２１には、回転盤３５に設けられた複数の収容孔３９の一つに対向する落下口４３が形成されている。装置本体３には、前記物品収納ケース５の落下口４３と対向する落下通路４９が形成され、この落下通路４９は、装置本体３の前壁７下部に形成された物品取出口５１に連通している。装置本体３には、前記物品収納ケース５の落下口４３を狭めることができる開閉部材５３が設けられている。装置本体３の前壁７には、上記開閉部材５３を連結部材６３を介して操作することができる操作レバー７３が設けられている。装置本体３の前壁７には、動力伝達部を介して前記回転盤３５を前記所定間隔分だけ回転させる操作部材８１が設けられている。装置本体３の前壁に、複数の表示面を有する表示部材６５を設け、この表示部材６５の表示面を操作レバー７３の連結部材６３に連動して変えることができる。